(57)【要約】【課題】  複数の領域に区画形成され、この複数の領域がその領域に付与された熱硬化性粘着剤とともに剥離紙から選択的に剥離される台紙付きシールにおいて、表裏から挟まれた状態が長時間続いた場合等においても、区画形成された領域を剥離紙から選択的に剥離する際にその領域に付与された粘着剤を他の領域の粘着剤からきれいに切り離す。【解決手段】  シール基材１０に付与される熱硬化性を有する粘着剤２０のうち、スリット１３の下部を、スリット１３とともに熱によって破断し、その表面に硬化部２１を形成する。【選択図】図１
2006330072.tif 000002
【特許請求の範囲】
【請求項１】
複数の領域が区画形成されたシール基材が熱硬化性を有する粘着剤によって剥離紙に剥離可能に貼着され、前記シール基材が前記複数の領域毎に剥離紙から選択的に剥離される台紙付きシールであって、
前記粘着剤は、前記複数の領域を区画する部分の少なくとも厚さ方向における一部が熱によって破断されている台紙付きシール。
【請求項２】
請求項１に記載の台紙付きシールの製造方法であって、
前記シール基材の一方の面に、前記剥離紙が貼着された前記粘着剤を付与する工程と、
前記シール基材側からレーザ光を照射することにより、前記シール基材を切断して前記複数の領域に区画するとともに、前記粘着剤の前記複数の領域を区画する部分の少なくとも厚さ方向における一部を破断する工程とを有する台紙付きシールの製造方法。
【発明の詳細な説明】
【技術分野】
【０００１】
本発明は、複数の領域が区画形成されたシール基材が粘着剤によって剥離紙に貼着されてなる台紙付きシール及びその製造方法に関し、特に、粘着剤として熱硬化性粘着剤を用いた台紙付きシール及びその製造方法に関する。
【背景技術】
【０００２】
一般的に、物品等に貼付されるシールは、紙等のシール基材の一方の面に粘着剤が塗布され、この粘着剤によって台紙となる剥離紙に剥離可能に貼着された形態で供給され、物品等に貼付される場合に、シール基材が剥離紙から剥離されて粘着剤によって物品等に貼付されることになる。
【０００３】
図１０は、従来の台紙付きシールの一構成例を示す図であり、（ａ）は表面から見た図、（ｂ）は（ａ）に示したＡ−Ａ’断面図である。
【０００４】
本構成例は図１０に示すように、シール基材２１０の一方の面に粘着剤２２０が塗布され、この粘着剤２２０によって台紙となる剥離紙２３０にシール基材２１０が剥離可能に貼着されて構成されている。また、シール基材２１０には、スリット２１３が形成されており、スリット２１３によって、シール部２１１ａ，２１１ｂ及び切除部２１２が区画形成されている。さらに、このスリット２１３が形成された領域においては粘着剤２２０も破断されている。
【０００５】
上記のように構成された台紙付きシールは、シール部２１１ａ，２１１ｂがスリット２１３によって切除部２１２から選択的に切り離し可能に構成されているとともに、このスリット２１３が形成された領域においては粘着剤２２０も破断されているため、シール部２１１ａ，２１１ｂが剥離紙２３０から剥離される際に、シール部２１１ａ，２１１ｂがその裏面に塗布された粘着剤２２０とともにスリット２１３を介して切除部２１２から切り離され、その後、シール部２１１ａ，２１１ｂの裏面の粘着剤２２０によってそれぞれ物品等に貼付されることになる。
【０００６】
このように、複数のシール部が区画形成された台紙付きシールが従来より利用されている（例えば、特許文献１参照。）。
【特許文献１】特開平１１−１５６０４３号公報
【発明の開示】
【発明が解決しようとする課題】
【０００７】
上述したようにシール部や切除部といった複数の領域がスリットによって選択的に切り離し可能に構成されているとともに、このスリットが形成された領域の粘着剤が破断されている台紙付きシールにおいては、シール部や切除部を粘着剤とともに他の領域から切り離すために粘着剤が破断されているものの、例えば、表裏から挟まれた状態が長時間続いた場合や粘着剤の経時変化等によって、破断された粘着剤が再度貼着し合い、シール部や切除部を他の領域から切り離す際に、粘着剤がきれいに切り離されなくなってしまう虞れがある。
【０００８】
図１１は、図１０に示した台紙付きシールが表裏から挟まれた状態を示す図である。
【０００９】
図１１に示すように、図１０に示した台紙付きシールが表裏から挟まれた状態においては、粘着剤２２０が横方向に延びるように作用し、それにより、粘着剤２２０の破断された部分どうしが接触して互いに押し付け合うようになるため、この状態が長時間続くと、破断された部分どうしが再度貼着してしまうことになる。特に、物品等に貼付された後に物品から剥離しやすくするために凝集力が強い粘着剤を用いたものにおいては、破断された部分どうしが接触した場合、このような現象が生じやすい。
【００１０】
本発明は、上述したような従来の技術が有する問題点に鑑みてなされたものであって、複数の領域に区画形成され、この複数の領域がその領域に付与された熱硬化性粘着剤とともに剥離紙から選択的に剥離される台紙付きシールにおいて、表裏から挟まれた状態が長時間続いた場合等においても、区画形成された領域を剥離紙から選択的に剥離する際にその領域に付与された粘着剤を他の領域の粘着剤からきれいに切り離すことができる台紙付きシール及びその製造方法を提供することを目的とする。
【課題を解決するための手段】
【００１１】
上記目的を達成するために本発明は、
複数の領域が区画形成されたシール基材が熱硬化性を有する粘着剤によって剥離紙に剥離可能に貼着され、前記シール基材が前記複数の領域毎に剥離紙から選択的に剥離される台紙付きシールであって、
前記粘着剤は、前記複数の領域を区画する部分の少なくとも厚さ方向における一部が熱によって破断されている。
【００１２】
上記のように構成された本発明においては、表裏から挟まれる等して粘着剤の破断された部分どうしが接触しても、粘着剤の破断された部分の表面は破断の際の熱によって硬化しており粘着性が弱くなっているため、破断された部分どうしが再度貼着しにくくなる。それにより、区画形成された領域を剥離紙から選択的に剥離する際に粘着剤を他の領域の粘着剤からきれいに切り離すことができるようになる。
【００１３】
また、前記台紙付きシールの製造方法であって、
前記シール基材の一方の面に、前記剥離紙が貼着された前記粘着剤を付与する工程と、
前記シール基材側からレーザ光を照射することにより、前記シール基材を切断して前記複数の領域に区画するとともに、前記粘着剤の前記複数の領域を区画する部分の少なくとも厚さ方向における一部を破断する工程とを有する。
【発明の効果】
【００１４】
以上説明したように本発明においては、複数の領域に区画形成され、この複数の領域がその領域に付与された熱硬化性粘着剤とともに剥離紙から選択的に剥離される台紙付きシールにおいて、熱硬化性粘着剤の複数の領域を区画する部分の少なくとも厚さ方向における一部が熱によって破断されているため、区画形成された領域を剥離紙から選択的に剥離する際にその領域に付与された粘着剤を他の領域の粘着剤からきれいに切り離すことができる。
【発明を実施するための最良の形態】
【００１５】
以下に、本発明の実施の形態について図面を参照して説明する。
【００１６】
（第１の実施の形態）
図１は、本発明の台紙付きシールの第１の実施の形態を示す図であり、（ａ）は表面から見た図、（ｂ）は（ａ）に示したＡ−Ａ’断面図である。
【００１７】
本形態は図１に示すように、シール基材１０の一方の面に、シリコーン系の粘着剤２０が塗布されてなる剥離紙３０がシール基材１０の台紙として剥離可能に貼着されて構成されている。また、シール基材１０には、スリット１３が形成されており、このスリット１３によって、複数の領域となるシール部１１ａ，１１ｂ及び切除部１２が区画形成されている。さらに、このスリット１３が形成された領域においては粘着剤２０も破断されており、それにより、スリット１３がシール基材１０から粘着剤２０まで貫通した形状となっている。また、粘着剤２０の破断した部分の表面には、シール基材１０及び粘着剤２０が熱によって破断されることにより、粘着剤２０が硬化してなる硬化部２１が形成されている。
【００１８】
以下に、上記のように構成された台紙付きシールの製造方法について説明する。
【００１９】
図２は、図１に示した台紙付きシールの製造方法を説明するための図である。
【００２０】
まず、紙等のシール基材１０の裏面に、シリコーン系の粘着剤２０が塗布されてなる剥離紙３０を貼着する（図２（ａ））。これにより、シール基材１０の一方の面に、剥離紙３０が貼着された粘着剤が付与されることになる。シリコーン系の粘着剤２０としては、シリコーン系の基材レス両面テープを用いることが考えられ、例えば、オルガノポリシロキサンを主成分とするシリコーンゴムやシリコーンレジンを含有してなり、これらに架橋剤を添加して硬化させることにより形成することが考えられる。また、剥離紙３０としては、例えば、紙やフィルム等を基材とし、その一方の面にフッ化シリコーン等のフッ素系離型剤を塗布することにより構成することが考えられる。
【００２１】
次に、シール基材１０のスリット１３を形成する領域に対してレーザ光源４０からＣＯ2レーザからなるレーザ光４１を照射する（図２（ｂ））。なおこの際、このレーザ光４１のパワーと焦点距離が、レーザ光４１によってスリット１３がシール基材１０から粘着剤２０まで貫通するようなものとなるようにレーザ光源４０を調整しておく。ただし、剥離紙３０については、レーザ光４１によって切断されないことが好ましい。
【００２２】
シール基材１０のスリット１３を形成する領域に対してレーザ光源４０からレーザ光４１を照射することにより、シール基材１０にスリット１３が形成されるとともに、そのスリット１３が形成された領域の粘着剤２０が破断される。この際、粘着剤２０が熱硬化性を有するシリコーン系の粘着剤２０であることから、粘着剤２０のレーザ光４１によって破断した部分の表面には、レーザ光４１の熱によって粘着剤２０が硬化してなる硬化部２１が形成されることになる（図２（ｃ））。
【００２３】
以下に、上記のように製造された台紙付きシールの作用について説明する。
【００２４】
図３は、図１に示した台紙付きシールが表裏から挟まれた状態を示す図である。
【００２５】
図３に示すように、図１に示した台紙付きシールが表裏から挟まれた状態においては、粘着剤２０が横方向に延びるように作用し、それにより、粘着剤２０の破断された部分どうしが接触して互いに押し付け合うようになる。ところが、粘着剤２０の破断された部分の表面には、破断の際の熱によって硬化した硬化部２１が形成されているため、その部分の粘着性が弱くなっており、破断された部分どうしが再度貼着しにくくなっている。また、レーザ光４１によって切断されたシール基材１０の煤が粘着剤２０の破断された部分の表面に付着しているため、粘着剤２０の破断された部分どうしがさらに貼着しにくくなっている。
【００２６】
以下に、上述した台紙付きシールの使用方法について説明する。
【００２７】
図４及び図５は、図１に示した台紙付きシールの使用方法を説明するための図である。
【００２８】
例えば、シール部１１ａ，１１ｂを切除部１２から選択的に剥離して使用する場合は、図４に示すように、シール部１１ａ，１１ｂを剥離紙３０から剥離すると、スリット１３が形成された領域においては粘着剤２０も破断されているため、粘着剤２０についてもシール部１１ａ，１１ｂの裏面に塗布された領域のみが剥離紙３０からそれぞれ剥離することになる。この際、粘着剤２０の破断された部分は、上述したように硬化部２１が形成されており互いに貼着しにくくなっているため、その部分も他の領域の粘着剤からきれいに切り離されることになる。その後、剥離紙３０から剥離されたシール部１１ａ，１１ｂがその裏面の粘着剤３０によって物品等に貼付されることになる。
【００２９】
また、シール基材のうちシール部１１ａ，１１ｂのみが剥離紙３０に剥離可能に貼着された状態で台紙付きシールを供給する場合は、図５に示すように、切除部１２を剥離紙３０から選択的に剥離すると、スリット１３が形成された領域においては粘着剤２０も破断されているため、粘着剤２０についても切除部１２の裏面に塗布された領域のみが剥離紙３０から剥離することになる。この際、粘着剤２０の破断された部分は、上述したように硬化部２１が形成されており互いに貼着しにくくなっているため、その部分も他の領域の粘着剤からきれいに切り離されることになる。その後、シール基材のうちシール部１１ａ，１１ｂのみが剥離紙３０に剥離可能に貼着された状態で台紙付きシールが供給されることになる。
【００３０】
（第２の実施の形態）
図６は、本発明の台紙付きシールの第２の実施の形態を示す図であり、（ａ）は表面から見た図、（ｂ）は（ａ）に示したＡ−Ａ’断面図である。
【００３１】
本形態は図６に示すように、シール基材１１０の一方の面に、シリコーン系の粘着剤１２０が塗布されてなる剥離紙１３０がシール基材１１０の台紙として剥離可能に貼着されて構成されている。また、シール基材１１０には、スリット１１３が形成されており、このスリット１１３によって、複数の領域となるシール部１１１ａ〜１１１ｆが区画形成されている。さらに、このスリット１１３が形成された領域においては粘着剤１２０の厚さ方向における一部が破断されており、それにより、粘着剤１２０がシール基材１１０側から所定の深さまで切断された形状となっている。また、粘着剤１２０の破断した部分の表面には、シール基材１１０及び粘着剤１２０が熱によって破断されることにより、粘着剤１２０が硬化してなる硬化部１２１が形成されている。
【００３２】
以下に、上記のように構成された台紙付きシールの製造方法について説明する。
【００３３】
図７は、図６に示した台紙付きシールの製造方法を説明するための図である。
【００３４】
まず、紙等のシール基材１１０の裏面に、シリコーン系の粘着剤１２０が塗布されてなる剥離紙１３０を貼着する（図７（ａ））。これにより、シール基材１１０の一方の面に、剥離紙１３０が貼着された粘着剤が付与されることになる。
【００３５】
次に、シール基材１１０のスリット１１３を形成する領域に対してレーザ光源１４０からＣＯ2レーザからなるレーザ光１４１を照射する（図７（ｂ））。なおこの際、このレーザ光１４１のパワーと焦点距離が、レーザ光１４１によってスリット１１３が形成される領域のシール基材１１０が切断され、かつ、その領域の粘着剤１２０の厚さ方向における一部が破断されるようなものとなるようにレーザ光源１４０を調整しておく。
【００３６】
シール基材１１０のスリット１１３を形成する領域に対してレーザ光源１４０からレーザ光１４１を照射することにより、シール基材１１０にスリット１１３が形成されるとともに、そのスリット１１３が形成された領域の粘着剤１２０の厚さ方向における一部が破断される。この際、粘着剤１２０が熱硬化性を有するシリコーン系の粘着剤１２０であることから、粘着剤１２０のレーザ光１４１によって破断した部分の表面には、レーザ光１４１の熱によって粘着剤１２０が硬化してなる硬化部１２１が形成されることになる（図７（ｃ））。ここで、レーザ光１４１によって粘着剤１２０が破断される厚さは、破断された表面に形成された硬化部１２１が剥離紙１３０に到達する程度であることが好ましいが、任意であってよい。それにより、レーザ光１４１のパワーと焦点距離を精細に調整する必要がなくなる。
【００３７】
以下に、上記のように製造された台紙付きシールの作用について説明する。
【００３８】
図８は、図６に示した台紙付きシールが表裏から挟まれた状態を示す図である。
【００３９】
図８に示すように、図６に示した台紙付きシールが表裏から挟まれた状態においては、粘着剤１２０が横方向に延びるように作用し、それにより、粘着剤１２０の破断された部分どうしが接触して互いに押し付け合うようになる。ところが、粘着剤１２０の破断された部分の表面には、破断の際の熱によって硬化した硬化部１２１が形成されているため、その部分の粘着性が弱くなり、破断された部分どうしが再度貼着しにくくなっている。また、レーザ光１４１によって切断されたシール基材１１０の煤が粘着剤１２０の破断された部分の表面に付着しているため、粘着剤１２０の破断された部分どうしがさらに貼着しにくくなっている。
【００４０】
以下に、上述した台紙付きシールの使用方法について説明する。
【００４１】
図９は、図６に示した台紙付きシールの使用方法を説明するための図である。
【００４２】
図６に示した台紙付きシールのシール部１１１ａ〜１１１ｆを選択的に剥離して使用する場合は、図９に示すように、シール部１１１ａ〜１１１ｆを剥離紙１３０から剥離すると、スリット１１２が形成された領域においては粘着剤１２０も厚さ方向について一部が破断されており、さらに、破断された表面に形成された硬化部１２１が剥離紙１３０に到達する程度に形成されているため、粘着剤１２０についてもシール部１１１ａ〜１１１ｆの裏面に塗布された領域のみが剥離紙１３０からそれぞれ剥離することになる。この際、粘着剤１２０の破断された部分は、上述したように硬化部１２１が形成されており互いに貼着しにくくなっているため、その部分も他の領域の粘着剤からきれいに切り離されることになる。その後、剥離紙１３０から剥離されたシール部１１１ａ〜１１１ｂがその裏面の粘着剤１３０によって物品等に貼付されることになる。
【００４３】
なお、上述した２つの実施の形態を組み合わせた構成とすることも考えられる。すなわち、図１に示したように、シール基材１０にシール部１１ａ，１１ｂ及び切除部１２がスリット１３によって区画形成された台紙付きシールにおいて、スリット１３が形成された領域の粘着剤２０の厚さ方向における一部が破断された構成とすることや、図６に示したように、シール基材１１０にシール部１１１ａ〜１１１ｆがスリット１１３によって区画形成された台紙付きシールにおいて、スリット１１３が形成された領域の粘着剤１２０が破断された構成とすることも考えられる。
【００４４】
また、上述した２つの実施の形態においては、シール基材１０，１１０及び粘着剤２０，１２０をレーザ光４１，１４１によって破断しているが、粘着剤２０，１２０が硬化する程度の熱を有する断裁手段によってシール基材１０，１１０及び粘着剤２０，１２０を破断すればよい。
【００４５】
また、上述した２つの実施の形態においては、シール基材１０，１１０に付与される粘着剤２０，１２０としてシリコーン系の粘着剤を例に挙げて説明したが、本発明はこれに限らず、レーザ光等によって加熱した際に硬化する熱硬化性の粘着剤であれば様々なものが適用可能である。
【図面の簡単な説明】
【００４６】
【図１】本発明の台紙付きシールの第１の実施の形態を示す図であり、（ａ）は表面から見た図、（ｂ）は（ａ）に示したＡ−Ａ’断面図である。
【図２】図１に示した台紙付きシールの製造方法を説明するための図である。
【図３】図１に示した台紙付きシールが表裏から挟まれた状態を示す図である。
【図４】図１に示した台紙付きシールの使用方法を説明するための図である。
【図５】図１に示した台紙付きシールの使用方法を説明するための図である。
【図６】本発明の台紙付きシールの第２の実施の形態を示す図であり、（ａ）は表面から見た図、（ｂ）は（ａ）に示したＡ−Ａ’断面図である。
【図７】図６に示した台紙付きシールの製造方法を説明するための図である。
【図８】図６に示した台紙付きシールが表裏から挟まれた状態を示す図である。
【図９】図６に示した台紙付きシールの使用方法を説明するための図である。
【図１０】従来の台紙付きシールの一構成例を示す図であり、（ａ）は表面から見た図、（ｂ）は（ａ）に示したＡ−Ａ’断面図である。
【図１１】図１０に示した台紙付きシールが表裏から挟まれた状態を示す図である。
【符号の説明】
【００４７】
１０，１１０    シール基材
１１ａ，１１ｂ，１１１ａ〜１１１ｆ    シール部
１２    切除部
１３，１１３    スリット
２０，１２０    粘着剤
２１，１２１    硬化部
３０，１３０    剥離紙
４０，１４０    レーザ光源
４１，１４１    レーザ光
【図１】
2006330072.tif 000003
【図２】
2006330072.tif 000004
【図３】
2006330072.tif 000005
【図４】
2006330072.tif 000006
【図５】
2006330072.tif 000007
【図６】
2006330072.tif 000008
【図７】
2006330072.tif 000009
【図８】
2006330072.tif 000010
【図９】
2006330072.tif 000011
【図１０】
2006330072.tif 000012
【図１１】
2006330072.tif 000013